(57)【要約】　　　（修正有）【課題】繰出機構を内蔵したカートリッジと、このカートリッジに対する駆動部を有する容器本体よりなるカートリッジ式棒状化粧材繰出容器であって、様々な棒状化粧材に対応する化粧用具が進退可能に容器本体内に格納され、全長を短く携帯に便利とするとともに、この化粧用具がワンタッチで交換可能とする。【解決手段】カートリッジ２は繰出機構を内蔵し、容器本体３は前記カートリッジ２の繰出機構に働きかける駆動部を備え、カートリッジ２と容器本体３の回動をもって棒状化粧材Ａの進退を図るとともに、容器本体３は外筒と案内筒とが回動可能に連結され、前記案内筒内に摺動可能に内挿された化粧用具保持筒に固着された化粧用具５が外筒と案内筒の回動をもって、内蔵した繰出機構により軸方向に進退するカートリッジ式棒状化粧材繰出容器。【選択図】　図１
2004033623.tif 000002
【特許請求の範囲】
【請求項１】
繰出機構によって芯チャック部材に保持された棒状化粧材が摺動可能なカートリッジと、
このカートリッジを装着する装着部を穿設した容器本体よりなり、
容器本体とカートリッジとの回動を持って、前記カートリッジ内の棒状化粧材を進退させるカートリッジ式棒状化粧材繰出容器であって；
前記容器本体は、前記カートリッジの繰出機構に働きかける駆動部を前記装着部に有するとともに、外筒に回動可能に連結された案内筒と、
前記外筒と案内筒との回動によって、前記案内筒内の化粧用具保持筒に連結された化粧用具が軸方向に進退することを特徴とした、カートリッジ式棒状化粧材繰出容器。
【請求項２】
前記案内筒内に、化粧用具保持筒に連結された化粧用具は、連結部材を介して前記化粧用具保持筒に着脱自在なことを特徴とする請求項１記載のカートリッジ式棒状化粧材繰出容器。
【請求項３】
前記連結部材には、少なくとも２つ以上の化粧用具が固定可能なことを特徴とする請求項１〜２記載のカートリッジ式棒状化粧材繰出容器。
【発明の詳細な説明】
【０００１】
【発明の属する技術分野】
本発明は、アイライナー、アイブロウ、リップライナー、口紅等の棒状化粧材のカートリッジ式繰出容器に関する。特には、棒状化粧材の繰出とともに、化粧用具の複数繰出機構に関する。
【０００２】
【従来の技術】
カートリッジ式棒状化粧材繰出容器において、容器本体の一方の開口孔よりカートリッジを装着し、容器本体とカートリッジとの回動をもってカートリッジ内の棒状化粧材を繰り出す繰出容器は、従来から多くの発明がなされ、また、容器本体の他方の開口孔側に、刷毛やチップ、ブラシ等の化粧用具を設けた容器本体もよく知られている。
【０００３】
カートリッジ式棒状化粧材繰出容器は容器本体に対して、アイブロウやアイライナー、リップライナー等の異なったポイントメイクの棒状化粧材を一本の容器本体に付け替え可能で使用できることが魅力であり、使用者はリップライナーに関しては、化粧用具として刷毛を使用したいし、アイブロウやアイライナーではチップを使用して化粧を施すのみならず、その部分の色合いをぼかしたりしたいという要求があり、使用する部位やポイントメイクによって、使用する化粧用具も異なるものである。
【０００４】
また、これらのポイントメイクは、外出先でリタッチしたり、また色合いをアフターファイブや出先のＴＰＯによって変えたりするために常に携帯する必要があるため、化粧ポーチ等に入る、コンパクトな製品が要求されている。
【０００５】
これらの要求に応じて、複数の化粧用具が着装出来る発明が、特開２００１−２８６３３８号公報でなされ、また、化粧用具が容器本体内で軸方向に進退する発明が、特開平１１−５６４６８号公報に開示されている。
【０００６】
しかしながら、複数の化粧用具を使用可能とした特開２００１−２８６３３８号公報では、容器本体のカートリッジが着装可能な開口孔の他端開口孔に装着される化粧用備品部材には、両端に刷毛やチップ等の高価な化粧用具を着装したため単価が上がり、一方しか使用しない使用者にとっては割高な買い物となってしまう。
【０００７】
また、特開平１１−５６４６８号公報の発明では、確かに化粧用具が回動によって軸方向に進退するため、全長を今までよりも短くすることが可能とはなるが、容器本体内に押棒が摺動可能に内挿されているため、押棒を摺動するねじ部と、このねじ部材を使用した化粧用具を進退させる繰出機構としても、機構全長の長さが必要となると同時に構成が複雑になり、容器本体が高価となる欠点を有する。
【０００８】
【発明が解決しようとする課題】
前述したように、様々なポイントメイクの棒状化粧材を収容するカートリッジに対応する容器本体であって、複数の化粧用具を交換可能としながら、この化粧用具を不使用時には、容器本体内に収納することで携帯の便利を図るとともに、部品点数を最少とした容器本体を製作することで、低価格なカートリッジ式棒状化粧材繰出容器を提供することを目的とする。
【０００９】
【課題を解決するための手段】
そのため、本発明のカートリッジ式棒状化粧材繰出容器は、繰出機構によって芯チャック部材に保持された棒状化粧材が摺動可能なカートリッジと、
このカートリッジを装着する装着部を穿設した容器本体よりなり、
容器本体とカートリッジとの回動を持って、前記カートリッジ内の棒状化粧材を進退させるカートリッジ式棒状化粧材繰出容器であって；
前記容器本体は、前部にカートリッジ嵌入部の装着部を有するとともに、
カートリッジの繰出機構に働きかける駆動部を前記装着部に有する外筒と、この外筒に回動可能に連結された案内筒と、
前記外筒と案内筒との回動によって、前記案内筒内に化粧用具保持筒に連結された化粧用具が軸方向に進退する手段を講じたものである。
【００１０】
第２の発明においては、前記案内筒内に、化粧用具保持筒に連結された化粧用具は、連結部材を介して前記化粧用具保持筒内に着脱自在にする手段を講じたものである。
【００１１】
第３の発明においては、前記連結部材には、少なくとも２つ以上の化粧用具が固定可能な手段を講じたものである。
【００１２】
【発明の作用及び効果】
本発明のカートリッジ式棒状化粧材繰出容器に使用されるカートリッジは繰出機構を内蔵し、容器本体は、前部にカートリッジ嵌入部の装着部が穿設され、この装着部のいずれかにカートリッジの繰出機構に働きかける駆動部を有し、カートリッジと容器本体を回動すると、カートリッジ内の繰出機構が働き、カートリッジ内の芯チャック部材に保持された棒状化粧材は先端開口孔より進出して化粧を可能とするとともに、容器本体は外筒に回動可能に連結された案内筒と、この案内筒内にあって化粧用保持等に連結された化粧用具を備え、外筒と案内筒の回動をもって、前記化粧用具保持筒が繰出機構によって、案内筒内を軸方向に進退することで、化粧用具の使用を可能としている。
【００１３】
この化粧用具は、通常は案内筒内の後退限に位置し、使用する際には案内筒より突出して使用可能となるため、カートリッジ式棒状化粧材繰出容器の全長は従来品よりも短くてよいため、携帯に便利である。
【００１４】
また、前記容器本体に使用されるカートリッジは繰出機構を内蔵し、この繰出機構は限定されないため、細径〜大径に至る、質感や使用用途の異なる棒状化粧材を内挿するカートリッジが容器本体に着脱自在であると同時に、カートリッジの装着部は腔部としてのみ存在し、余分な部材を必要とせず、容器本体自体が安価に製造できる。
【００１５】
第２の発明では、前記案内筒内の化粧用具保持筒に連結された化粧用具は、連結部材を介して前記化粧用具保持筒に着脱自在なため、カートリッジ内の棒状化粧材に対応する化粧用具を、使用状況や用途により付け替えて使用することが可能である。
【００１６】
第３の発明では、前記連結部材は、一つの部材で少なくとも上記の化粧用具が固定可能な形状となっているため、連結部材は化粧用具保持筒には一部材で着脱自在であり、且つ複数の化粧用用具に対しては共通部材であるため、安価に製作できる。
【００１７】
【発明の実施の形態】
添付した図面に基づいて、本発明の実施の形態のカートリッジ式棒状化粧材繰出容器を詳細に説明する。
図１は、カートリッジ式棒状化粧材繰出容器１の縦一部断面図である。図２は、カートリッジ式棒状化粧材繰出容器１の前部キャップ４ａを取り外し、容器本体３とカートリッジ（Ａ）２を回動させ、棒状化粧材を前進限まで繰り出した状態を示すとともに、後部キャップ４ｂを取り外し、案内筒５０の突出部５４と外筒６０を回動して金具７２と刷毛７１とを有する化粧用具５を前進限まで繰り出した状態を示す図である。
【００１８】
本発明のカートリッジ２は、カートリッジ２内に繰出機構が構成され、容器本体３にカートリッジ２の嵌入部１０ｂが装着される。
【００１９】
カートリッジ装着部４８には、カートリッジ２内の繰出機構に働きかける駆動部４４が設置され、この駆動部４４の回動によってカートリッジ２内の繰出機構が働き、カートリッジ２内の芯チャック部材２０を軸方向に移動する手段としている。
【００２０】
後に説明するが、本発明のカートリッジの構成は、カートリッジ（Ａ）のみの構成にとどまらず、カートリッジ内に繰出機構を内蔵するすべてのカートリッジに対して、本発明は有効である。
【００２１】
図３は、本発明に使用される第１のカートリッジ（Ａ）２の各部材を示すもので、先筒１０、芯チャック部材２０，回転体３０より構成され、先筒１０は先端に棒状化粧材が進退する先端開口孔１１を備え、軸方向に摘み部１０ａと、容器本体３へ挿入される嵌入部１０ｂよりなり、使用者は摘み部１０ａと容器本体３の回動をもってカートリッジ（Ａ）２を使用する。
【００２２】
また、先筒１０の嵌入部１０ｂには容器本体３との嵌合に用いられる突起１２が配されるとともに、容器本体３との適度な回動摩擦を演出するＯリング３３が巻装されている。
【００２３】
先筒１０の後部内には縦溝１５が軸方向にストローク長設置され、後述する回転止めに使用される。
【００２４】
芯チャック部材２０は前端に棒状化粧材を保持する化粧材保持部２１を備え、これに延設される円筒内腔部２４には軸方向に螺旋溝２２が螺刻され、芯チャック部材２０後端外径には前記先筒１０の縦溝に係合する係合突起２３が設けられる。
【００２５】
回転体３０は、下部が円筒状の筒体で、内径がローレット部３２による容器本体３内の駆動部４４に係合する本体容器係合部３１が設置され、外径には前記先筒１０内径下端の凹溝１４に回動自在に嵌合する嵌合凸部３７が配されている。また、回転体３０にはＯリング３３が巻装され、先筒１０内径との摩擦に寄与している。
【００２６】
回転体３０は、前記筒体より立設される棒軸３４の先端外径に一対の螺合突起３６がスリット３５間に形成されて、前記芯チャック部材２０の腔部２４に螺刻された螺旋溝２２に螺合して螺合機構を構成している。
【００２７】
図１のカートリッジ式棒状化粧材繰出容器１に使用される容器本体３は、図４に示す各部材を有し、継具４０，外筒６０，及びこの中に内挿される化粧用具保持筒７０に金具７２で固着された刷毛７１と、この化粧用具保持筒７０を軸方向に摺動する案内筒５０を備えている。
【００２８】
図１のカートリッジ式棒状化粧材繰出容器１の容器本体３は、高価なブランドをイメージして容器本体３を製作したため、継具４０と外筒６０で容器本体３の外観を構成している。
【００２９】
継具４０は、前部外観に加飾表面４２（この部分に蒸着等の加飾が行われる）を備えた円筒体で形成され、前部外径に、前部キャップ嵌合部４６及び後部外径に前記外筒６０との連結に使用される嵌合部４３を備える。
【００３０】
また、内径はカートリッジ（Ａ）２のカートリッジ装着部４８を形成し、内径前部にカートリッジ（Ａ）２を係留する嵌合凹部４１を設け、腔部４９の底面より駆動部４４が立設されて、カートリッジ（Ａ）２内の繰出機構に働きかけている。
【００３１】
カートリッジ装着部４８とは、カートリッジ（Ａ）２が挿入される腔部４９をさすものである。
【００３２】
カートリッジ式棒状化粧材繰出容器１においての駆動部４４は、腔部４９の底面より立設して、カートリッジ（Ａ）２の回転体３０後端内径に形成された本体容器係合部３１のローレット部３２に係合する。
【００３３】
継具４０は、図４に示すように外筒６０の前部凹溝６３ａに嵌合すると同時に、外径に形成した縦リブ４７がローレット６１とスプライン係合することで外筒６０と一体となる。
【００３４】
そのため、実施の形態におけるカートリッジ式棒状化粧材繰出容器の容器本体３内の継具４０は、外筒６０と一体に成形されてもよいので、継具４０を外筒６０の一部として説明する。
【００３５】
化粧用具保持筒７０は、案内筒５０内径に挿入され、係合突起７５が案内筒５０のスリット５１に係合して軸方向に摺動する。
【００３６】
案内筒５０に化粧用具保持筒７０を内挿したまま、外筒６０の後端開口孔６４より挿入して嵌合凸部５５を後部凹溝６３ｂに回動可能に嵌着する。
【００３７】
化粧用具保持筒７０の係合突起７５は、案内筒５０のスリット５１を貫通して、外筒６０内に螺刻された螺旋溝６２に螺合して螺合機構を構成する。
【００３８】
外筒６０より突出した案内筒５０の突出部５４には、外径に後部キャップ係合部５２が設けられ、後部キャップ４ｂを着脱自在とする。
【００３９】
このように構成されたカートリッジ式棒状化粧材繰出容器１の作動を説明する。図１に示すカートリッジ式棒状化粧材繰出容器１の前部キャップ４ａを取り外し，既に容器本体３内に装着されたカートリッジ（Ａ）２の先筒１０の摘み部１０ａと外筒６０を相対的に回動すると、カートリッジ（Ａ）２の回転体３０の本体容器係合部３１に設けたローレット部３２に外筒６０内の駆動部４４に形成したリブ４４ａが前記ローレット部３２にスプライン係合しているので回転体３０が回動すると、芯チャック部材２０は腔部２４に螺刻された螺旋溝２２に回転体３０の螺合突起３６が螺合して螺合機構を構成するとともに、芯チャック部材２０後端外径に形成した係合突起２３が、先筒１０の縦溝１５に係合して回転止め機構が働き、芯チャック部材２０は化粧材保持部２１に棒状化粧材Ａを保持した状態で縦溝１５に沿って進出し、化粧を可能とする。
【００４０】
棒状化粧材Ａを容器本体３内に戻したいときは、前記メカニズムによって逆に回動すればよい。
【００４１】
又、使用者は、化粧用具５を構成する刷毛７１を使用したいときには、後部キャップ４ｂを取り外し、案内筒５０の突出部５４を外筒６０に対して回動すると、化粧用具保持筒７０の係合突起７５は、外筒６０内の螺旋溝６２に螺合して螺合機構を構成するとともに、案内筒５０のスリット５１によって、係合突起７５は回転止め機構が働き、スリット５１に沿って化粧用具保持筒７０が進出を始め、図２に示す前部係合突起載置部５１ｂに係合突起７５が移動して載置され、刷毛７１を完全に突出させ、刷毛７１の使用を可能とする。
【００４２】
刷毛７１を外筒６０内に格納するときは、前記メカニズムによって案内筒５０を外筒６０に対して逆に回動することで、案内筒５０の係合突起７５が後部係合突起載置部５１ａに載置することで、完全なる後退限となる。
【００４３】
カートリッジ式棒状化粧材繰出容器１において、化粧用具５の刷毛７１は、化粧用具保持筒７０に金具７２によって固着されているが、この化粧用具保持筒７０から刷毛７１を着脱自在とし、他の化粧用具、例えばチップやマスカラブラシと交換することが出来る。
【００４４】
本発明の他の目的である複数の化粧用具を交換可能とするメカニズムについて説明する。
図５（Ａ）は、化粧用具が交換可能な化粧用具保持筒７０の斜視図を表し、（Ｂ）は連結部材８０に装着された、金具７２に固着された刷毛７１とを有する化粧用具５を示す図である。
【００４５】
図６の（Ｘ）は、前記化粧用具保持筒７０に対して着脱自在な連結部材８０を介して固定された刷毛７１を示し、（Ｙ）は前記化粧用具保持筒７０に対して着脱自在な連結部材８０を介して固定されたマスカラブラシ７９を示し、（Ｚ）は同様に前記化粧用具保持筒７０に対して着脱自在な連結部材８０を介して固定されたチップ７８を示す図である。
【００４６】
前記化粧用具保持筒７０に対して、一つの連結部材８０を介して、刷毛７１とマスカラブラシ７９とチップ７８とが交換可能に取り付けることが可能であることを特徴としている。
【００４７】
図５の（Ａ）に示すように、化粧用具保持筒７０は大径円筒部７３と小径円筒部７４よりなる円筒体であり、大径円筒部７３外径に作動を行う係合突起７５が一対設けられ、小径円筒部７４の外径に、嵌合部ａが凸部として形成され、内径に嵌合部ｂが凹部として形成されている。
【００４８】
図６に明らかなように、連結部材８０は大径部８１，中径部８２，小径部８３が段々に形成された円筒体で、それぞれに大径腔部８６，中径腔部８５，小径貫通孔８４が形成され、大径腔部８６に嵌合部ａ’が凹部として設置され、前記化粧用具保持筒７０の嵌合部ａに着脱自在に嵌合し、また、小径貫通孔８４の外径に嵌合部ｂ’が凸部として設けられることで、前記化粧用具保持筒７０の嵌合部ｂに着脱自在となる。
【００４９】
刷毛７１を使用するときは、金具７２を連結部材８０の中径部８２に固着し、マスカラブラシ７９を使用するときは小径貫通孔８４にマスカラブラシの金具を固定し、チップ７８を使用するときは、チップ７８を大径腔部８６に固着することで、一つの連結部材８０を前後に使用して、前記化粧用具保持筒７０に対して着脱自在とすることが出来、カートリッジ式棒状化粧材繰出容器１において、化粧用具保持筒７０を前進限に繰り上げ、前記メカニズムによって複数の化粧用具５が交換可能なカートリッジ式棒状化粧材繰出容器１を実現可能とする。
【００５０】
図７は、図５，図６とは異なった形態の連結部材８０’を示すもので、連結部材８０’は大径部８１’と中径部８２’と嵌合部ａ’を備えるとともに、小径貫通孔８４’は、天面より垂下して形成されている。
【００５１】
刷毛７１は金具７２によって、中径部８２’で固着され、マスカラブラシ７９は小径貫通孔８４’に固定され、チップ７８は金具７２’によって、中径部８２で固着される。
【００５２】
この連結部材８０’では、化粧用具保持筒７０との着脱部は嵌合部ａに対応する大径部８１’の嵌合部ａ’のみでよく、また、マスカラブラシ７９とチップ７８の全長が短くなる利点を有する。
【００５３】
図８，図９，そして図１０は、本発明の第２の実施の形態を示す図であり、図８はカートリッジ式棒状化粧材繰出容器１０１の縦一部断面図である。カートリッジ（Ｂ）１０２を収容するとともに、化粧用具保持筒１７０を軸方向に進退させる繰出機構を有する容器本体１０３より構成される。
【００５４】
カートリッジ式棒状化粧材繰出容器１０１は、カートリッジ式棒状化粧材繰出容器１とはカートリッジの繰出機構が異なるほか、容器本体１０３は外筒１６０として一体に構成されているため、カートリッジ式棒状化粧材繰出容器１とは異なり、継具４０を有していない。
【００５５】
図９はカートリッジ式棒状化粧材繰出容器１０１に使用されるカートリッジ（Ｂ）１０２の各部材を示す図であり、図１０は容器本体１０３の各部材を示す図である。
【００５６】
カートリッジ式棒状化粧材繰出容器１０１もカートリッジ式棒状化粧材繰出容器１と使用方法は同様で、前部キャップ１０４ａ（アイブロウ等では必要ない）を取り外し、カートリッジ（Ｂ）１０２と外筒１６０の回動をもって棒状化粧材Ｂの進退を行うとともに、後部キャップ１０４ｂを取り外し、外筒１６０と案内筒１５０の突出部１５４の回動で、化粧用具（刷毛１７１・金具１７２）を進退させ、使用するものである。
【００５７】
図９より第２実施例のカートリッジ（Ｂ）１０２を詳細に説明する。
カートリッジ（Ｂ）１０２は、先端開口孔１１１を備える先筒１１０と、この先筒１１０の基部に回動可能に連結される回転体１３０と、この中に内挿される芯チャック部材１２０と、この芯チャック部材１２０の前進限を決定するストッパー部材１９０より構成され、先筒１１０は、内部に軸方向に摺動溝１１５を配し、後部腔部に設けた凹溝１１４に回転体１３０の嵌合凸部１３７が回動可能に嵌着してカートリッジ（Ｂ）１０２の外観をなすため、カートリッジ（Ｂ）１０２の摘み部１１０ａは先筒１１０の全長となり、また、容器本体１０３への嵌入部１３０ｂは回転体１３０の螺旋部１３５をのぞいた長さとなっている。
【００５８】
芯チャック部材１２０は先筒１１０と回転体１３０の連結された中に内挿され、前端の化粧材保持部１２１は、前記先筒１１０の摺動溝１１５に位置する４片の爪片１２１ａで保持され、この４片の爪片１２１ａからは凸条１２３が軸方向にそれぞれ延設され、この凸条１２３の表面に突起１２２が正列される。
【００５９】
凸条１２３は摺動溝１１５に係合して回転止め機構を構成する。また、前記芯チャック部材１２０の凸条１２３表面の突起１２２は、回転体１３０の螺旋部１３５内に形成された螺旋溝１３６に螺合して螺合機構を構成する。
【００６０】
先筒１１０と回転体１３０を回動すると、螺合機構と回転止め機構によって繰出機構が働き、芯チャック部材１２０は摺動溝１１５に沿って進退するため、爪片１２１ａに保持された棒状化粧材Ｂは、先筒１１０と同期に回転をしながら進退して、化粧を施すことを可能とする。
【００６１】
また、回転体１３０は容器本体１０３内に嵌入されると、突起１３８で容器本体１０３に係留されるとともに、Ｏリング溝１３３に着装されたＯリングによって摩擦抵抗を得る。
【００６２】
図１０は、容器本体１０３の各部材を示す図である。容器本体１０３は外筒１６０と、これに回動可能に連結される案内筒１５０と、外筒１６０，及び案内筒１５０との回動によって軸方向に進退する化粧用具保持筒１７０を備えている。
【００６３】
外筒１６０は、外筒６０と同様に内径後部に螺旋溝１６２が形成され、案内筒１５０のスリット１５１より化粧用具保持筒１７０の係合突起１７５ａが案内筒１５０の外壁１５６を貫通して螺旋溝１６２に螺合して螺合機構を構成していると同時に、スリット１５１によって回転止め機構を構成している。
【００６４】
繰出機構は、前記カートリッジ式棒状化粧材繰出容器１の容器本体３と同様、外筒１６０と案内筒１５０の突出部１５４との回動をもって化粧用具保持筒１７０をスリット１５１に沿って移動させている。
【００６５】
ただし、案内筒１５０は前後が閉鎖された円筒体であるため、化粧用具保持筒１７０には貫通孔１７９を設け、案内筒１５０内に内挿した状態で係合ピン１７５をスリット１５１を介して貫通孔１７９に設置しているところに違いがある。
【００６６】
また、容器本体１０３の外観は、外筒１６０より構成され、カートリッジ（Ｂ）１０２の嵌入部１３０ｂが挿入される。
【００６７】
カートリッジ装着部１６８は腔部１６９として形成され、カートリッジ（Ｂ）１０２の回転体１３０に設けたＯリング溝１３３に巻装されたＯリングが当接する内壁が駆動部１６４として働き、容器本体１０３の回動は、この駆動部１６４よりカートリッジ（Ｂ）１０２の回転体１３０に摩擦抵抗によって、伝達されることがカートリッジ式棒状化粧材繰出容器１とは異なる特徴である。
【００６８】
図１１，図１２は、本発明の第３の実施の形態を示す図である。図１１に示すように、ここに使用されるカートリッジ（Ｃ）２０２は第２の実施の形態であるカートリッジ（Ｂ）１０２と全く同様の構成であり、回転体２３０にはＯリングを使用せず、回転体２３０後部に係合リブ２３０ｃを形成し、これに対応する容器本体２０３内に駆動部２６４としてローレット２６４ｃを設けてカートリッジ（Ｃ）２０２の繰出機構に働きかけることを特徴とするほか、容器本体２０３側の構成を大きく違ったものとしている。
【００６９】
図１２は容器本体２０３の各部材を示す図である。容器本体２０３は外筒２６０と案内筒２５０を回動可能に組み付けた中に、化粧用具保持筒２７０を内挿したものであり、化粧用具保持筒２７０に金具２７２を介して固着された刷毛２７１を、軸方向に摺動する手段は、第１，第２の実施の形態の容器本体３，１０３とは大きく異なる構造となっている。
【００７０】
容器本体２０３は、外筒２６０と案内筒２５０によって外観が構成され、外筒２６０はカートリッジ（Ｃ）２０２の嵌入部を挿入するためのカートリッジ装着部２０８が穿設されるとともに、カートリッジ（Ｃ）２０２を係留する前部凹溝２６３ａを備えた円筒体として形成され、外観下部は、案内筒２５０を回動可能に連結する凸部２６３ｂが設けられ、有底な底部より棒軸２６８が延設され、この棒軸２６８表面には左螺旋２６０Ａが形成される。
【００７１】
また、腔部２６９下部より駆動部２６４が底面壁側にローレット２６４ｃとして設けられ、カートリッジ（Ｃ）２０２の回転体２３０の係合リブ２３０ｃにスプライン係合して回転体２３０を駆動させる働きを持つ。
【００７２】
外筒２６０に回動可能に連結される案内筒２５０は、内径に多条螺旋として形成された右螺旋２５０Ｂが配され、外観下部には後部キャップ嵌合部２５２が設けられて、ここに後部キャップ（図示せず）が着脱自在に嵌着される。
【００７３】
内挿される化粧用具保持筒２７０は、刷毛２７１を固着した金具２７２を固定した小径円筒部２７４，大径円筒部２７３，小径円筒部２７４’より構成され、小径円筒部２７４内径に前記外筒２６０の棒軸２６８表面の左螺旋２６０Ａと係合する係合突起（Ａ）２７０ａが配されるとともに、大径円筒部２７３外径に係合突起（Ｂ）２７０ｂを設けて、前記案内筒２５０内径の右螺旋２５０Ｂに係合して繰出機構としている。
【００７４】
案内筒２５０内の右螺旋２５０Ｂと外筒２６０の左螺旋２６０Ａは、同リードの右螺旋左螺旋として形成されるため、係合突起（Ａ）２７０ａ、係合突起（Ｂ）２７０ｂで螺合する化粧用具保持筒２７０は、外筒２６０と案内筒２５０の回動によって化粧用具保持筒２７０をそれぞれの有するリードの半分のリードで回転しながら軸方向に摺動することで、化粧用具（刷毛２７１・金具２７２）の使用を可能とする。
【００７５】
第３の実施の形態のカートリッジ式棒状化粧材繰出容器２０１は、カートリッジ（Ｃ）２０２を装着し、カートリッジ（Ｃ）２０２の摘み部２１０ａと容器本体２０３を回動することで、前記メカニズムによってカートリッジ（Ｃ）２０２内の棒状化粧材Ｃが進退するとともに、外筒２６０と案内筒２５０の回動をもって、化粧用具保持筒２７０を進退させ、これを使用可能とし、不必要なときは、これを案内筒２５０内に格納してカートリッジ式棒状化粧材繰出容器２０１の全長を短くして、携帯に便利な化粧容器を提供しようとするものである。
【００７６】
第３の発明の実施の形態においては、カートリッジ式棒状化粧材繰出容器１，及び１０１とは構造が異なり、容器本体２０３の外筒２６０と案内筒２５０が軸方向に連結され、重なることがないため、外形寸法が同寸のカートリッジ式棒状化粧材繰出容器１，１０１の容器本体３，１０３に比べて、大径な化粧用具保持筒２７０を内挿可能とする。
【００７７】
言い換えれば、容器本体２０３を容器本体３，１０３よりも細径にすることが可能なカートリッジ式棒状化粧材繰出容器２０１を提供できることを特徴とする。
【００７８】
本発明のカートリッジは、繰出機構を内蔵するカートリッジであればよく、容器本体にはこのカートリッジを装着する装着部を穿設するとともに、この装着部のいずれかにカートリッジの繰出機構に働きかける駆動部を有しているとともに、容器本体の外筒と案内筒を回動させることで、繰出機構によって化粧用具を連結された化粧用具保持等が軸方向に摺動して、他端開口孔より化粧用具を突出させてこれを使用するとともに、この化粧用具を交換可能とすることで、カートリッジ内の棒状化粧材に対応する化粧用具を使用可能としたもので、このために使用する化粧用具に固定する連結部材は一部材でありながら、複数の化粧用具を固定可能とした形状としてあるので、製作費用を安価に出来る、優れた発明である。
【図面の簡単な説明】
【図１】本発明の第１の実施の形態であるカートリッジ式棒状化粧材繰出容器の縦一部断面図である。
【図２】図１のカートリッジ式棒状化粧材繰出容器の前後キャップを取り外し、化粧用具及び棒状化粧材を前進限まで繰り出した状態を示す縦一部断面図である。
【図３】図１のカートリッジの各部材を示す縦一部断面図である。
【図４】図１の容器本体の各部材を示す縦一部断面図である。
【図５】図１の化粧用具保持筒の斜視図である。
【図６】図１のカートリッジ式棒状化粧材繰出容器で使用される化粧用具のバリエーションである。Ｘは刷毛を、Ｙはマスカラブラシを、Ｚはチップをそれぞれ示している。
【図７】図６とは異なる連結部材の一例を示す縦一部断面図である。
【図８】本発明の第２の実施の形態であるカートリッジ式棒状化粧材繰出容器の縦一部断面図である。
【図９】図８で示されているカートリッジの各部材を示す縦一部断面図である。
【図１０】図８で示されている容器本体の各部材を示す縦一部断面図である。
【図１１】本発明の第３の実施の形態であるカートリッジ式棒状化粧材繰出容器の縦一部断面図である。
【図１２】図１１に用いられる容器本体の斜視図である。
【符号の説明】
１・・・・カートリッジ式棒状化粧材繰出容器
２・・・・カートリッジ
３・・・・容器本体
４ａ・・・前部キャップ
４ｂ・・・後部キャップ
５・・・・化粧用具
Ａ・・・・棒状化粧材
１０・・・先筒
１０ａ・・摘み部
１０ｂ・・嵌入部
１１・・・先端開口孔
１２・・・突起
１４・・・凹溝
１５・・・縦溝
２０・・・芯チャック
２１・・・化粧材保持部
２２・・・螺旋溝
２３・・・係合突起
２４・・・円筒内腔部
３０・・・回転体
３１・・・本体容器係合部
３２・・・ローレット部
３３・・・Ｏリング
３４・・・棒軸
３５・・・スリット
３６・・・螺合突起
３７・・・嵌合凸部
４０・・・継具
４１・・・嵌合凹部
４２・・・加飾表面
４３・・・嵌合部
４４・・・駆動部
４４ａ・・リブ
４６・・・前部キャップ嵌合部
４８・・・カートリッジ装着部
４９・・・腔部
５０・・・案内筒
５１・・・スリット
５１ａ・・後部係合突起載置部
５１ｂ・・前部係合突起載置部
５２・・・後部キャップ係合部
５４・・・突出部
５５・・・嵌合凸部
５６・・・外壁
６０・・・外筒
６２・・・螺旋溝
６３ａ・・前部凹溝
６３ｂ・・後部凹溝
６４・・・後端開口孔
７０・・・化粧用具保持筒
７１・・・刷毛
７２・・・金具
７３・・・大径円筒部
７４・・・小径円筒部
７５・・・係合突起
７８・・・チップ
７９・・・マスカラブラシ
８０・・・連結部材
８１・・・大径部
８２・・・中径部
８３・・・小径部
８４・・・小径腔部
８５・・・中径腔部
８６・・・大径腔部
１０１・・カートリッジ式棒状化粧材繰出容器
１０２・・カートリッジ
１０３・・容器本体
１０４ａ・前部キャップ
１０４ｂ・後部キャップ
Ｂ・・・・棒状化粧材
１１０・・先筒
１１１・・先端開口孔
１１４・・凹溝
１１５・・摺動溝
１２０・・芯チャック部材
１２１・・化粧材保持部
１２１ａ・爪片
１２２・・突起
１２３・・凸条
１３０・・回転体
１３０ｂ・嵌入部
１３３・・Ｏリング溝
１３５・・螺旋部
１３６・・螺旋溝
１３７・・嵌合凸部
１３８・・突起
１５０・・案内筒
１５１・・スリット
１５４・・突出部
１５６・・外壁
１６０・・外筒
１６２・・螺旋溝
１６４・・駆動部
１６８・・カートリッジ装着部
１６９・・腔部
１７０・・化粧用具保持筒
１７１・・刷毛
１７５・・係合ピン
１７５ａ・係合突起
１７９・・貫通孔
２０１・・カートリッジ式棒状化粧材繰出容器
２０２・・カートリッジ
２０３・・容器本体
２０８・・カートリッジ装着部
Ｃ・・・・棒状化粧材
２１０ａ・摘み部
２３０・・回転体
２３０ｃ・係合リブ
２５０・・案内筒
２５０Ｂ・右螺旋
２６０・・外筒
２６０Ａ・左螺旋
２６３ａ・前部凹溝
２６３ｂ・凸部
２６４・・駆動部
２６４ｃ・ローレット
２６８・・棒軸
２６９・・腔部
２７０・・化粧用具保持筒
２７０ａ・係合突起
２７０ｂ・係合突起
２７１・・刷毛
２７２・・金具
２７３・・大径円筒部
２７４・・小径円筒部
２７４’・小径円筒部
【図１】
2004033623.tif 000003
【図２】
2004033623.tif 000004
【図３】
2004033623.tif 000005
【図４】
2004033623.tif 000006
【図５】
2004033623.tif 000007
【図６】
2004033623.tif 000008
【図７】
2004033623.tif 000009
【図８】
2004033623.tif 000010
【図９】
2004033623.tif 000011
【図１０】
2004033623.tif 000012
【図１１】
2004033623.tif 000013
【図１２】
2004033623.tif 000014